(57)【要約】      （修正有）【課題】逆さにしたときの収納物落下防止の機能を付属されていない封筒に、機能を追加できる非個着的に開閉できるシール留め具が欲しかった。【解決手段】設置パーツと受け口バーツの２つの組み合わせにより構成される。設置パーツは、裏面の一端側に封筒のベロに接着するための接着部Ａを設け、接着部Ａの他方側に連結部分Ａを構成する。受け口パーツは、封筒の開閉口寄りの収納部に接着するための接着部Ｂを裏面に設け、表面に連結部分Ａと一対になる連結部分Ｂにより構成される。設置パーツの裏上部分に設置された接着部Ａの下側部分に連結部分Ａと、受け口パーツの表面に連結部分Ａと対になる連結部分Ｂを設けることにより、非個着的に開閉でき、封筒に機能を追加できる。【選択図】図６
2018177246.tif 000002
【特許請求の範囲】
【請求項１】
設置パーツと受け口パーツの２つの組み合わせにより構成される留め具シールであり、設置パーツは、裏面の一端側に封筒のベロに接着するための接着部Ａを設け、接着部Ａの他方側に連結部分Ａを構成し、受け口パーツは、封筒の開閉口寄りの収納部に接着するための接着部Ｂを裏面に設け、表面に連結部分Ａと一対になる連結部分Ｂにより構成される、連結部分Ａの形状は、接着部Ａの方向へ突き出した凸形状の差し込み片である爪を接着してあり、連結部分Ｂの形状は、設置パーツの裏面に設置した接着部Ａの方向を一端側として、連結部分Ａの方向を他方側と定めたとき、一端側と他方側の交差する方向を両端側として、各々の両端側に接着部Ｂを設けてある、接着部Ｂと接着部Ｂの間は非接着部分で封筒本体に隙間が生じて爪を格納できる構造から構成される留め具シール。
【請求項２】
請求項１記載の連結部分Ａと連結部分Ｂの形状を変更して、連結部分Ａは面テープＡを設け、連結部分Ｂは面テープＡと一対になる面テープＢを構成される請求項１記載の留め具シール。
【請求項３】
請求項１記載の連結部分Ａと連結部分Ｂの形状を変更して、連結部分ＡはマグネットＡを設け、連結部分Ｂは、マグネットＡに対して磁力の向きがお互いに引き寄せ合う組み合わせのマグネットＢ、もしくは、磁石が貼りつく金属板を設けて構成される請求項１記載の留め具シール。
【請求項４】
設置パーツの表面にポケットを設け、メッセージカードを収納することができる構造から構成される請求項１乃至請求項２乃至請求項３のいずれか記載の留め具シール。
【請求項５】
設置パーツの表面の一端側に一枚の合わせ紙を一部接着してあり、合わせ紙の非接着部分である側に折れ線を設けて見開く構造で、合わせ紙の裏面と設置パーツの表面がメッセージスペースとして構成される請求項１乃至請求項２乃至請求項３のいずれか記載の留め具シール。
【請求項６】
設置パーツの裏面の接着面Ａを省略して、接着部Ａを省略した側の端に伸縮性の帯を接着させて、帯の先端に裏に接着部Ｃを設けた貼付けパーツがある構造から構成される請求項１乃至請求項２乃至請求項３のいずれか記載の留め具シール。
【発明の詳細な説明】
【技術分野】
【０００１】
この発明は、封筒を非個着的に開閉するための特殊な封構造を有する封じ留め具シールに関するものである。
【背景技術】
【０００２】
封筒の開封や封じを繰り返し使用できる機能を持つシールとして知られている留め具シールは、保存用の収納封筒に用いられているマルタック（登録商標）のシールである。他には、何度も剥離できるシールを用いた方法が知られている。
また、開封や封じを繰り返し使用できる機能を持ち合わせた封筒は、開閉口の折り返し部分に面テープ（マジックテープ（登録商標））を用いた封筒（特許文献１参照）や、ベロ先端縁についた半円弧状等の凸部があり収納部に爪部を差し込むためのスリットが設けてある封筒（図書カード入れなどに利用されている）が知られている。
【先行技術文献】
【特許文献】
【０００３】
【特許文献１】実用新案登録第３０８２９１８号公報
【発明の概要】
【発明が解決しようとする課題】
【０００４】
従来品として特許文献１に示される先行技術である封筒では、機能が封筒本体と一体となっているため、他の封筒には機能を付属させることができない。また、ラッピング材として活用するための優れた形状になっていない問題点がある。
【０００５】
差し込むための引っ掛け爪は切り込みによる構造が設けてあり、切り込みされた部分は一番インパクトを持つメイン部分なため、デザイン性に欠点が生じてしまう。本発明では、構造が簡単であり、コンパクトで、コストがかからず、デザイン性に優れた留め具を提供することを目的とする。
【課題を解決するための手段】
【０００６】
本発明は上記の目的を達成するために、封筒を非個着的に開閉することができる留め具シールである。設置パーツと受け口バーツの２つの組み合わせにより構成される。設置パーツは、裏面の一端側に封筒のベロに接着するための接着部Ａを設け、接着部Ａの他方側に連結部分Ａを構成する。受け口パーツは、封筒の開閉口寄りの収納部に接着するための接着部Ｂを裏面に設け、表面に連結部分Ａと一対になる連結部分Ｂにより構成される。設置パーツの裏上部分に設置された接着部Ａの下側部分に連結部分Ａと、受け口パーツの表面に連結部分Ａと対になる連結部分Ｂを設けたものである。
【発明の効果】
【０００７】
本発明において大きく分けて６つの効果が期待できる。
１つ目は、開封側を逆さにした状態のときに、封筒の収納内部に格納されていたものを落下防止する機能が期待できること。
２つ目は、爪設置パーツと受け口パーツを封筒に貼る接着部分をそれぞれ設けたことにより、シールとして封筒に貼り、収納物落下防止の機能を持たない封筒にも、簡単に収納物落下防止の機能を持たせることが可能である。
３つ目は、ベロを固定するときに、シールや接着材を使用せずに、爪設置パーツと受け口パーツの２つの組み合わせによる方法でベロを固定できる為、開封と封じを繰り返し使用できる効果を持つ。
４つ目は、糸を巻き付けて使用するマルタック（登録商標）よりも、動作が簡単で器用でない小さな子供でも開閉ができる。
５つ目は、従来は封筒の開封を一時的に止めることが可能な文具としてクリップを使用することが多い、小さなクリップは誤飲性があったが、本発明の留め具には誤飲性の危険性はない利点がある。
６つ目は、封筒の開封口を閉じる場合に使用することが多いクリップは、開封の度に取り外す必要があるが、一度、設置すれば封筒と一体の留め具となり、取り外しの手間がかからない。
【図面の簡単な説明】
【０００８】
【図１】本発明の実施例１の平面図
【図２】本発明の実施例１の設置パーツの底面図
【図３】本発明の実施例１の受け口パーツの平面図
【図４】本発明の実施例１の受け口パーツの底面図
【図５】本発明の実施例１の設置パーツと受け口パーツを組み合わせた状態での底面図
【図６】本発明の実施例１の使用において封筒に貼りつけ封じした状態を平面から見た状態図
【図７】本発明の実施例１の使用において封筒に貼りつけ開封した状態を平面から見た状態図
【図８】本発明の実施例１の使用において封筒に貼りつけ開封した状態を示す右断面説明図
【図９】本発明の実施例１の使用において封筒に貼りつけ封じた状態を示す右断説明面図
【図１０】本発明の実施例２の設置パーツの底面図
【図１１】本発明の実施例２の受け口パーツの平面図
【図１２】本発明の実施例２の設置パーツと受け口パーツを組み合わせた状態での底面図
【図１３】本発明の実施例２の使用において封筒に貼りつけ開封した状態を平面から見た状態図
【図１４】本発明の実施例２の使用において封筒に貼りつけ開封した状態を示す右断面説明図
【図１５】本発明の実施例２の使用において封筒に貼りつけ封じた状態を示す右断説明面図
【図１６】本発明の実施例３の設置パーツの底面図
【図１７】本発明の実施例３の受け口パーツの平面図
【図１８】本発明の実施例３の設置パーツと受け口パーツを組み合わせた状態での底面図
【図１９】本発明の実施例３の使用において封筒に貼りつけ開封した状態を平面から見た状態図
【図２０】本発明の実施例３の使用において封筒に貼りつけ開封した状態を示す右断面説明図
【図２１】本発明の実施例３の使用において封筒に貼りつけ封じた状態を示す右断説明面図
【図２２】本発明の実施例４の使用状態における設置パーツ部分にメッセージカードの機能を持たせ、メッセージ部分が隠すことができる設置パーツの平面説明図
【図２３】本発明の実施例５の使用状態における設置パーツ部分に、メッセージカードを入れるポケットを持つ設置パーツの平面説明図
【図２４】本発明の実施例６の使用状態における設置パーツにメッセージカードの機能をもたせ、見開きの形状の設置パーツの平面説明図
【図２５】本発明の実施例７の設置パーツの平面図
【図２６】本発明の実施例７の設置パーツと受け口パーツを組み合わせた状態を示す底面図
【図２７】本発明の実施例７の紙袋への使用状態において、見開き防止効果を持たせた説明図
【図２８】本発明の実施例７のノートへの使用状態において、見開き防止効果を持たせた説明図
【発明を実施するための形態】
【０００９】
各々の底面図を紙面上で見たときに、用紙の上下（奥と手前）をｙ軸として、用紙の上側をｙ１側、下側をｙ２側とする。また、左右をｘ軸として、用紙の左側をｘ１側、右側をｘ２側と定義する。また、図２、図４、図５、図１０、図１２、図１６、図１８の底面図の隅に記入した座標軸は、本発明の構造とは関係なく、説明のために記入してある。また、平面図は本発明の表面、底面図は本発明の裏面を示した図であり、本発明を平面から見た図を表面、本発明を底面から見た図を裏面と定義する。
【実施例１】
【００１０】
本実施例の形態を図１〜９に基づいて説明する。
封筒９を非個着的に開閉することができる留め具となるシールで、設置パーツ１と受け口バーツ２の２つの組み合わせにより構成される。また、図１の平面図と設置パーツの平面図は見た目が同一なため、設置パーツの平面図は省略する。
【００１１】
設置パーツ１は、裏面のｙ１軸方向に封筒９のベロ１０に接着するための接着部Ａ３を設け、接着部Ａ３の反対側のｙ２軸方向に連結部分Ａ５を構成する。受け口パーツ２は、封筒９の開閉口寄りの収納部１１に接着するための接着部Ｂ４を裏面に設け、受け口パーツ２の表面には、連結部分Ａ５と一対になる連結部分Ｂ６により構成される。
【００１２】
設置パーツ１の連結部分Ａ５の形状は、接着部Ａ３が配置された方向のｙ１軸方向へ突き出した凸形状の差し込み片である爪７を構成する。差し込み片の爪７の形状は、半円孤状、三角型、台形型、四角型のいずれかの構造をしている。
【００１３】
受け口パーツ２の連結部分Ｂ６の形状は、ｘ１軸側とｘ２軸側の両端に、各々の両端側に接着部Ｂ４を設けてある。受け口パーツ２の接着部Ｂ４と接着部Ｂ４の間は非接着部分で封筒本体に隙間８が生じる。設置パーツ１の爪７を格納できる構造となり、この隙間８が本実施例の連結部分Ｂ６である。
【００１４】
実施例１における連結部分Ｂ６の形状の場合、受け口パーツ２は、細長い帯状の形状が、設置パーツ１の爪７を差し込みやすい最適な形であるが、受け口パーツ２の形状に合わせ、連結部分Ａ５と連結部分Ｂ６を組み合わせたときに、受け口パーツ２が表面から、設置パーツ１の裏側に隠れる形にしても良い。
【００１５】
設置パーツ１の連結部分Ａ５は、爪７を貼り合わせた部分は、差し込むときにつかむ持ち手部分１２と同じに部位に該当する。持ち手部分１２は、用紙を貼り合わせた分、用紙の厚みは厚くなり強度が増して、差し込みやすくなるメリットがある。
【００１６】
本実施例の留め具を封筒９に設置したとき、封筒９のベロ１０を折り返した状態において、差し込みパーツ１の爪７の凸の向きはｙ１軸方向を向いて突き出す、受け口パーツ２の非接着部の隙間８である連結部分Ｂ６に連結部分Ａ５の爪７を差し込むと、爪７が連結部分Ｂ６に引っかかり、しっかりと封筒９のベロ１０を固定することが可能になる。
【００１７】
本実施例の留め具を封筒９に設置したとき、封筒９の開封側を逆さにした状態では、格納物の重さがベロ１０に負荷がかかるが、その負荷に耐える能力をより上げることができる。なぜならば、先行技術におけるテレホンカードなどの袋に利用される構造では、収納部１１のスリットにベロ１０の先端の爪７を差し込んだ構造な為、開封側を逆さにしたときに小銭などの重量を持った格納物の重みに耐えられずに、ベロ１０が開いてしまい格納物を落下させてしまう。しかし、本実施例では、連結部分Ａ５の爪７が連結部分Ｂ６の隙間８に引っかかりしっかりとベロ１０を固定できる構造となっているため、連結部分Ａ５の爪７とベロ１０にかかる負荷を軽減できる。
【００１８】
本実施例の本体は厚紙・ユポなどの紙・プラステック・紙とプラステック合成素材などの素材を用いる。連結部分も、本体と同じ単価の安い材料で構成可能なため、コストを抑えることができる。
【００１９】
本実施例の本体は、シールタイプで封筒９に設置して使用できるため、収納物落下防止の機能を持たない封筒９にも、簡単に収納物落下防止の機能を持たせることが可能である。
【００２０】
本実施例の使用上の利点として、封筒９のベロ１０を固定するときに、シールや接着材を使用せずに、設置パーツ１と受け口パーツ２の２つの組み合わせによる方法でベロ１０を固定できる為、開封と封じを繰り返し使用できる効果を持つ。その他に、小さな子供の誤飲性の心配がない、一度、設置すれば封筒９と一体の留め具となり、取り外しの手間がかからない、マルタック（登録商標）シールよりも、手先が不器用な子供でも開閉が簡単な利点を持つ。
【実施例２】
【００２１】
本実施例の形態を図１０〜１５に基づいて説明する。
本実施例は、図１〜９の実施の形態である連結部分Ａ５と連結部分Ｂ６の構造を変更した構造を持つ留め具シールである。
【００２２】
封筒９を非個着的に開閉することができる留め具となるシールで、設置パーツ１と受け口バーツ２の２つの組み合わせにより構成される。
設置パーツ１は、裏面のｙ１軸方向に封筒９のベロ１０に接着するための接着部Ａ３を設け、接着部Ａ３の反対側のｙ２軸方向に連結部分Ａ５を構成する。受け口パーツ２は、封筒９の開閉口寄りの収納部１１に接着するための接着部Ｂ４を裏面に設け、受け口パーツ２の表面には、連結部分Ａ５と一対になる連結部分Ｂ６により構成される。
【００２３】
本実施例における連結部分Ａ５、連結部分Ｂ６の各々の形状は、設置パーツ１の接着部Ａ３の方向ｙ１側と反対のｙ２側に面テープＡ１３を設けて構成してあり、連結部分Ｂ１４は受け口パーツ２の表面に面テープＡ１３と一体になる面テープＢ１４により構成される。
【００２４】
実施例１から連結部分Ａ５、連結部分Ｂ６の各々の形状を変更したことによる、面テープを貼りつけることで本実施例の使用上の利点として、実施例１の連結部分Ａ５の差し込み片の爪７と、連結部分Ｂ６の隙間８を利用した構造より、より簡単に連結させることができる。
【００２５】
本発明と本実施例の共通の利点として、本実施例の本体は、シールタイプで封筒９に設置して使用できるため、収納物落下防止の機能を持たない封筒９にも、簡単に収納物落下防止の機能を持たせることが可能である。封筒９のベロ１０を固定するときに、シールや接着材を使用せずに、設置パーツ１と受け口パーツ２の２つの組み合わせによる方法でベロ１０を固定できる為、開封と封じを繰り返し使用できる効果を持つ。その他に、小さな子供の誤飲性の心配がない、一度、設置すれば封筒９と一体の留め具となり、取り外しの手間がかからない、マルタック（登録商標）シールよりも、手先が不器用な子供でも開閉が簡単な利点を持つ。
【実施例３】
【００２６】
本実施例の形態を図１６〜２１に基づいて説明する。
本実施例は、図１〜９の実施の形態である連結部分Ａ５と連結部分Ｂ６の構造を変更した構造を持つ留め具シールである。
【００２７】
封筒９を非個着的に開閉することができる留め具となるシールで、設置パーツ１と受け口バーツ２の２つの組み合わせにより構成される。
設置パーツ１は、裏面のｙ１軸方向に封筒９のベロ１０に接着するための接着部Ａ３を設け、接着部Ａ３の反対側のｙ２軸方向に連結部分Ａ５を構成する。受け口パーツ２は、封筒９の開閉口寄りの収納部１１に接着するための接着部Ｂ４を裏面に設け、受け口パーツ２の表面には、連結部分Ａ５と一対になる連結部分Ｂ６により構成される。
【００２８】
本実施例における連結部分Ａ５、連結部分Ｂ６の各々の形状は、設置パーツ１の接着部の方向ｙ１側と反対のｙ２側にマグネットＡ１５を設けて構成してあり、連結部分Ｂ６は、受け口パーツ２の表面にマグネットＡ１５と連結するマグネットＢ１６により構成され、設置パーツ１の裏面、受け口パーツ２の表面にお互いが合わさるように、マグネットを配置した構造である。また、マグネットＡ１５、もしくは、マグネットＢ１６は、どちらか一方をマグネットの磁気とくっつく金属を代用することが可能である。
【００２９】
実施例１から連結部分Ａ５、連結部分Ｂ６の各々の形状を変更したことによる、マグネットを貼り付けることによる使用上の利点として、実施例１の連結部分Ａ５の差し込み片の爪７と、連結部分Ｂ６の隙間８を利用した構造より、より簡単に連結させることができる。
【００３０】
本発明と本実施例の共通の利点として、本実施例の本体は、シールタイプで封筒９に設置して使用できるため、収納物落下防止の機能を持たない封筒９にも、簡単に収納物落下防止の機能を持たせることが可能である。封筒９のベロ１０を固定するときに、シールや接着材を使用せずに、設置パーツ１と受け口パーツ２の２つの組み合わせによる方法でベロ１０を固定できる為、開封と封じを繰り返し使用できる効果を持つ。その他に、小さな子供の誤飲性の心配がない、一度、設置すれば封筒９と一体の留め具となり、取り外しの手間がかからない、マルタック（登録商標）シールよりも、手先が不器用な子供でも開閉が簡単な利点を持つ。
【実施例４】
【００３１】
本発明の実施の形態を図２２に基づいて説明する。
図２２は実施例１、実施例２、実施例３の各々の連結部分Ａ５と連結部分Ｂ６のいずれかを設けて、メッセージ機能を付けた留め具シールである。
【００３２】
封筒９を非個着的に開閉することができる留め具となるシールで、設置パーツ１と受け口バーツ２の２つの組み合わせにより構成される。
設置パーツ１は、裏面のｙ１軸方向に封筒９のベロ１０に接着するための接着部Ａ３を設け、接着部Ａ３の反対側のｙ２軸方向に連結部分Ａ５を構成する。受け口パーツ２は、封筒９の開閉口寄りの収納部１１に接着するための接着部Ｂ４を裏面に設け、受け口パーツ２の表面には、連結部分Ａ５と一対になる連結部分Ｂ６により構成される。
【００３３】
実施例１、実施例２、実施例３の各々の連結部分Ａ５と連結部分Ｂ６のいずれかを設けて、設置パーツ１の表面にメッセージスペース１７を設けて、メッセージの内容を受け取り主以外の第三者から秘密保持にするための目隠しシール１８を貼り付けることが可能な構造で構成される。
【００３４】
設置パーツ１の表面側の表面は、ペンで直接記入でき、シールを貼り剥がすことが可能な素材であるか、もしくは、目隠しシール１８の素材を何度も剥離可能なシール素材を用いる必要性がある。
【００３５】
本実施形態の利点として、メッセージ記入欄を設けることができ、メッセージの内容を目隠しシール１８で隠すことが可能なので、受け取り主以外の第三者からメッセージの内容を秘密保持できる。また、受け取り主が受け取り、メッセージを開く喜びをサプライズできる。
【００３６】
本発明と本実施例の共通の利点として、本実施例の本体は、シールタイプで封筒９に設置して使用できるため、収納物落下防止の機能を持たない封筒９にも、簡単に収納物落下防止の機能を持たせることが可能である。封筒９のベロ１０を固定するときに、シールや接着材を使用せずに、設置パーツ１と受け口パーツ２の２つの組み合わせによる方法でベロ１０を固定できる為、開封と封じを繰り返し使用できる効果を持つ。その他に、小さな子供の誤飲性の心配がない、一度、設置すれば封筒９と一体の留め具となり、取り外しの手間がかからない、マルタック（登録商標）シールよりも、手先が不器用な子供でも開閉が簡単な利点を持つ。
【実施例５】
【００３７】
本発明の実施の形態を図２３に基づいて説明する。
図２３は実施例１、実施例２、実施例３の各々の連結部分Ａ５と連結部分Ｂ６のいずれかを設けて、メッセージ機能を付けた留め具シールである。
【００３８】
封筒９を非個着的に開閉することができる留め具となるシールで、設置パーツ１と受け口バーツ２の２つの組み合わせにより構成される。
設置パーツ１は、裏面のｙ１軸方向に封筒９のベロ１０に接着するための接着部Ａ３を設け、接着部Ａ３の反対側のｙ２軸方向に連結部分Ａ５を構成する。受け口パーツ２は、封筒９の開閉口寄りの収納部１１に接着するための接着部Ｂ４を裏面に設け、受け口パーツ２の表面には、連結部分Ａ５と一対になる連結部分Ｂ６により構成される。
【００３９】
実施例１、実施例２、実施例３の各々の連結部分Ａ５と連結部分Ｂ６のいずれかを設けて、設置パーツ１の表面を袋状にしたポケット２０を設けた構造を構成する。
【００４０】
設置パーツ１の表面を袋状にしたポケット２０は、メッセージカード１９を収納するためのスペースになる。また、ポケット２０に取り出し穴２１を設けると、指でメッセージカード１９が取り出しやすくなる。
【００４１】
本発明と本実施例の共通の利点として、本実施例の本体は、シールタイプで封筒９に設置して使用できるため、収納物落下防止の機能を持たない封筒９にも、簡単に収納物落下防止の機能を持たせることが可能である。封筒９のベロ１０を固定するときに、シールや接着材を使用せずに、設置パーツ１と受け口パーツ２の２つの組み合わせによる方法でベロ１０を固定できる為、開封と封じを繰り返し使用できる効果を持つ。その他に、小さな子供の誤飲性の心配がない、一度、設置すれば封筒９と一体の留め具となり、取り外しの手間がかからない、マルタック（登録商標）シールよりも、手先が不器用な子供でも開閉が簡単な利点を持つ。
【実施例６】
【００４２】
本発明の実施の形態を図２４に基づいて説明する。
図２４は実施例１、実施例２、実施例３の各々の連結部分Ａ５と連結部分Ｂ６のいずれかを設けて、メッセージ機能を付けた留め具シールである。
【００４３】
封筒９を非個着的に開閉することができる留め具となるシールで、設置パーツ１と受け口バーツ２の２つの組み合わせにより構成される。
設置パーツ１は、裏面のｙ１軸方向に封筒９のベロ１０に接着するための接着部Ａ３を設け、接着部Ａ３の反対側のｙ２軸方向に連結部分Ａ５を構成する。受け口パーツ２は、封筒９の開閉口寄りの収納部１１に接着するための接着部Ｂ４を裏面に設け、受け口パーツ２の表面には、連結部分Ａ５と一対になる連結部分Ｂ６により構成される。
【００４４】
実施例１、実施例２、実施例３の各々の連結部分Ａ５と連結部分Ｂ６のいずれかを設けて、設置パーツ１の表面に一枚の合わせ紙２２を、合わせ紙２２と設置パーツ１のｙ１軸側の一部を接着して固定してあり、合わせて接着したｙ２軸側に折れ線２４を設けて、ｙ１軸方向へ合わせ紙２２を見開く構造で、合わせ紙２２の裏面と設置パーツ１の表面がメッセージスペース１７として構成される。
【００４５】
合わせ紙２２の見開きを防止するため、突き出した凸形状の抑え片２３を設置パーツ１のｙ２軸側に設けて、合わせ紙２２の見開き側の先端を抑え片２３と設置パーツ１の空間に差し込んで、合わせ紙２２を固定できるようになっている構造にすることも可能である。
【００４６】
抑え片２３の形状は、半円孤状、三角型、台形型が最適な形状であり、シンプルなキャラクターやマークなどの形でも代用できる。
【００４７】
合わせ紙２２の裏面と設置パーツ１の表面がメッセージスペース１７となり、実施例４よりも広いスペースにメッセージを設けることができる。見開く構造なため、合わせ紙２２を開くと立ち上がる仕掛けを配置するなど、メッセージスペース１７の活用の幅が広がる。
【００４８】
本発明と本実施例の共通の利点として、本実施例の本体は、シールタイプで封筒９に設置して使用できるため、収納物落下防止の機能を持たない封筒９にも、簡単に収納物落下防止の機能を持たせることが可能である。封筒９のベロ１０を固定するときに、シールや接着材を使用せずに、設置パーツ１と受け口パーツ２の２つの組み合わせによる方法でベロ１０を固定できる為、開封と封じを繰り返し使用できる効果を持つ。その他に、小さな子供の誤飲性の心配がない、一度、設置すれば封筒９と一体の留め具となり、取り外しの手間がかからない、マルタック（登録商標）シールよりも、手先が不器用な子供でも開閉が簡単な利点を持つ。
【実施例７】
【００４９】
本発明の実施の形態を図２５〜２８に基づいて説明する。
図２５〜２８は、実施例１、実施例２、実施例３の各々の連結部分Ａ５と連結部分Ｂ６のいずれかを設けて、差し込みパーツの接着部Ａ３と連結部Ａの間の距離を設けて構成する見開き防止留め具のシールである。
【００５０】
封筒９を非個着的に開閉することができる留め具となるシールで、設置パーツ１と受け口バーツ２の２つの組み合わせにより構成される。
設置パーツ１は、裏面のｙ１軸方向に封筒９のベロ１０に接着するための接着部Ａ３を設け、接着部Ａ３の反対側のｙ２軸方向に連結部分Ａ５を構成する。受け口パーツ２は、封筒９の開閉口寄りの収納部１１に接着するための接着部Ｂ４を裏面に設け、受け口パーツ２の表面には、連結部分Ａ５と一対になる連結部分Ｂ６により構成される。
【００５１】
実施例１、実施例２、実施例３の各々の連結部分Ａ５と連結部分Ｂ６のいずれかを設けて、設置パーツ１の裏面の接着部Ａ３を省略して、ｙ１軸方向に伸縮性の帯２５を接着させて、伸縮性のある帯２５の先端に裏に接着部Ｃ２７を設けた貼付けパーツがある構造から構成される。
【００５２】
設置パーツ１にｙ１軸方向に伸縮性の帯２５を連結させて、その帯２５の先端に接着部Ｃ２７を設けることにより、接着部Ｃ２７と連結部分Ａ５の間に距離が設けられて、見開き防止留め具としても使用可能な構造を構成する。帯２５は伸縮性がある素材の方がより簡単に留めることができ、安定して留めることが可能になる。
【００５３】
設置パーツ１に連結させる帯２５を設けず、設置パーツ１を細長い形状にして、接着部Ａ３と連結部分Ａ５の距離が長くなり、見開き防止留め具としても使用可能な構造を構成することもできる。
【００５４】
紙袋２８に本実施例を設置する場合を図２７に基づいて説明する。
紙袋２８の表面の開閉側中央に受け口パーツ２を接着部Ｂ４で固定して、反対側の裏面の開閉側中央に貼り付けパーツ２６の接着部Ｃ２７を固定して使用する。
【００５５】
ノート２９に本実施例を設置する場合を図２８に基づいて説明する。ノート２９の見開き側の表面に受け口パーツ２を接着部Ｂ４で固定して、ノート２９の見開き側の裏面に貼り付けパーツ２６の接着部Ｃ２７を固定して使用する。
【００５６】
帯２５を組み合わせた留め具シールは、見開き防止シールとして活用でき、ノート、本、ファイル、紙袋などに利用することが可能である。
【００５７】
本発明と本実施例の共通の利点として、本実施例の本体は、シールタイプで封筒９に設置して使用できるため、収納物落下防止の機能を持たない封筒９にも、簡単に収納物落下防止の機能を持たせることが可能である。封筒９のベロ１０を固定するときに、シールや接着材を使用せずに、設置パーツ１と受け口パーツ２の２つの組み合わせによる方法でベロ１０を固定できる為、開封と封じを繰り返し使用できる効果を持つ。その他に、小さな子供の誤飲性の心配がない、一度、設置すれば封筒９と一体の留め具となり、取り外しの手間がかからない、マルタック（登録商標）シールよりも、手先が不器用な子供でも開閉が簡単な利点を持つ。
【符号の説明】
【００５８】
１設置パーツ
２受け口パーツ
３接着部Ａ
４接着部Ｂ
５連結部分Ａ
６連結部分Ｂ
７爪
８隙間
９封筒
１０ベロ
１１収納部
１２持ち手部分
１３面テープＡ
１４面テープＢ
１５マグネットＡ
１６マグネットＢ
１７メッセージスペース
１８目隠しシール
１９メッセージカード
２０ポケット
２１取り出し穴
２２合わせ紙
２３抑え片
２４折れ線
２５帯
２６貼り付けパーツ
２７接着部Ｃ
２８紙袋
２９ノート
【図１】
2018177246.tif 000003
【図２】
2018177246.tif 000004
【図３】
2018177246.tif 000005
【図４】
2018177246.tif 000006
【図５】
2018177246.tif 000007
【図６】
2018177246.tif 000008
【図７】
2018177246.tif 000009
【図８】
2018177246.tif 000010
【図９】
2018177246.tif 000011
【図１０】
2018177246.tif 000012
【図１１】
2018177246.tif 000013
【図１２】
2018177246.tif 000014
【図１３】
2018177246.tif 000015
【図１４】
2018177246.tif 000016
【図１５】
2018177246.tif 000017
【図１６】
2018177246.tif 000018
【図１７】
2018177246.tif 000019
【図１８】
2018177246.tif 000020
【図１９】
2018177246.tif 000021
【図２０】
2018177246.tif 000022
【図２１】
2018177246.tif 000023
【図２２】
2018177246.tif 000024
【図２３】
2018177246.tif 000025
【図２４】
2018177246.tif 000026
【図２５】
2018177246.tif 000027
【図２６】
2018177246.tif 000028
【図２７】
2018177246.tif 000029
【図２８】
2018177246.tif 000030